(57)【要約】【課題】任意の本数のケーブルを容易に接続することが可能なケーブル分岐接続構造、分岐接続部、連結部およびケーブル分岐接続方法を提供する。【解決手段】導体と、導体を覆うように設けられ、ケーブル端末が挿入可能で導体まで到達する複数の挿入孔が設けられる絶縁層と、複数の挿入孔のそれぞれの内部に設けられ導体に接続されケーブル端末の端末導体が嵌合可能である複数の導体嵌合部と、を有する第１分岐接続部と、第１分岐接続部と同一の構成を有する第２分岐接続部と、両端が複数の導体嵌合部のそれぞれに嵌合可能な連結部導体と、連結部導体の外周を覆うように設けられ複数の挿入孔のそれぞれの内部に嵌合可能な連結部絶縁層と、を有する連結部と、を有し、第１分岐接続部および第２分岐接続部は、連結部の一端が第１分岐接続部の複数の挿入孔のいずれか１つに挿入され、連結部の他端が第２分岐接続部の複数の挿入孔のいずれか１つに挿入されることにより、互いに連結される。【選択図】図１
2015192537.tif 000002
【特許請求の範囲】
【請求項１】
導体と、前記導体を覆うように設けられ、ケーブル端末が挿入可能で前記導体まで到達する複数の挿入孔が設けられる絶縁層と、前記複数の挿入孔のそれぞれの内部に設けられ前記導体に接続され前記ケーブル端末の端末導体が嵌合可能である複数の導体嵌合部と、を有する第１分岐接続部と、
前記第１分岐接続部と同一の構成を有する第２分岐接続部と、
両端が前記複数の導体嵌合部のそれぞれに嵌合可能な連結部導体と、前記連結部導体の外周を覆うように設けられ前記複数の挿入孔のそれぞれの内部に嵌合可能な連結部絶縁層と、を有する連結部と、
を有し、
前記第１分岐接続部および前記第２分岐接続部は、前記連結部の一端が前記第１分岐接続部の前記複数の挿入孔のいずれか１つに挿入され、前記連結部の他端が前記第２分岐接続部の前記複数の挿入孔のいずれか１つに挿入されることにより、互いに連結される
ことを特徴とするケーブル分岐接続構造。
【請求項２】
前記複数の挿入孔は、
第１挿入孔と、
前記第１挿入孔と反対の方向に設けられる第２挿入孔と、
前記第１挿入孔および前記第２挿入孔と異なる位置に設けられる第３挿入孔と、
を含み、
前記連結部の一端は、前記第１分岐接続部の前記第１挿入孔に挿入され、
前記連結部の他端は、前記第２分岐接続部の前記第２挿入孔に挿入される
ことを特徴とする請求項１に記載のケーブル分岐接続構造。
【請求項３】
前記第１分岐接続部および前記第２分岐接続部の少なくともいずれかの前記第３挿入孔には、前記第３挿入孔から屈曲した方向にケーブルを連結する屈曲端末が挿入される
ことを特徴とする請求項２に記載のケーブル分岐接続構造。
【請求項４】
前記第１分岐接続部および前記第２分岐接続部のそれぞれは、
前記導体を覆うように設けられる内部半導電層を有し、
前記第１分岐接続部および前記第２分岐接続部のそれぞれの前記内部半導電層は、
前記連結部が前記第１分岐接続部および前記第２分岐接続部のそれぞれに連結される際に、前記連結部導体が前記連結部絶縁層から露出する部分と重なり、前記連結部絶縁層まで達するように設けられる
ことを特徴とする請求項１〜３のいずれか１項に記載のケーブル分岐接続構造。
【請求項５】
前記第１分岐接続部および前記第２分岐接続部のそれぞれは、
前記絶縁層を覆い、前記複数の挿入孔のそれぞれの開口端まで設けられる導電性の外部半導電層を有し、
前記連結部は、
前記連結部絶縁層の外周に設けられる導電性の連結部外部半導電層を有し、
前記連結部外部半導電層は、
前記第１分岐接続部および前記第２分岐接続部のそれぞれの前記開口端における前記外部半導電層に接する
ことを特徴とする請求項１〜４のいずれか１項に記載のケーブル分岐接続構造。
【請求項６】
前記複数の挿入孔のそれぞれの開口径は互いに等しく、
前記複数の導体嵌合部のそれぞれの形状は互いに等しい
ことを特徴とする請求項１〜５のいずれか１項に記載のケーブル分岐接続構造。
【請求項７】
請求項１〜６のいずれか１項に記載のケーブル分岐接続構造に用いられる
ことを特徴とする分岐接続部。
【請求項８】
請求項１〜６のいずれか１項に記載のケーブル分岐接続構造に用いられる
ことを特徴とする連結部。
【請求項９】
導体と、前記導体を覆うように設けられ、ケーブル端末が挿入可能で前記導体まで到達する複数の挿入孔が設けられる絶縁層と、前記複数の挿入孔のそれぞれの内部に設けられ前記導体に接続され前記ケーブル端末の端末導体が嵌合可能である複数の導体嵌合部と、を有する第１分岐接続部と、前記第１分岐接続部と同一の構成を有する第２分岐接続部と、両端が前記複数の導体嵌合部のそれぞれに嵌合可能な連結部導体と、前記連結部導体の外周を覆うように設けられ前記複数の挿入孔のそれぞれの内部に嵌合可能な連結部絶縁層と、を有する連結部と、を準備する工程と、
前記連結部を用い、前記連結部の一端を前記第１分岐接続部の前記複数の挿入孔のいずれか１つに挿入し、前記連結部の他端を前記第２分岐接続部の前記複数の挿入孔のいずれか１つに挿入することにより、前記第１分岐接続部および前記第２分岐接続部を互いに連結する工程と、
を有する
ことを特徴とするケーブル分岐接続方法。
【発明の詳細な説明】
【技術分野】
【０００１】
本発明は、ケーブル分岐接続構造、分岐接続部、連結部およびケーブル分岐接続方法に関する。
【背景技術】
【０００２】
幹線ケーブルから支線ケーブルを引き出すため、いわゆるＹ分岐接続部やＸ分岐接続部などが用いられることがある。Ｙ分岐接続部の場合、連結可能な支線ケーブルの本数は１本であり、Ｘ分岐接続部の場合、連結可能な支線ケーブルの本数は２本である。
【０００３】
また、複数のケーブルを接続するため、例えば以下のような接続装置または分岐接続部が開示されている。特許文献１には、ケーブル端末を固定する３つの接合部体を連結する連結部体を有する接続装置が記載されている。また、特許文献２には、幹線ケーブルを長手方向に着脱可能に接続するとともに、分岐ケーブルを着脱可能に接続するＴ分岐接続ユニットを有する分岐接続部が記載されている。
【先行技術文献】
【特許文献】
【０００４】
【特許文献１】特開平１０−２２５３４０号公報
【特許文献２】特開平５−２４４７１５号公報
【発明の概要】
【発明が解決しようとする課題】
【０００５】
上記した分岐接続部または接続装置では、接続可能なケーブルの本数が限定されていた。また、幹線ケーブルから任意の本数（例えば３本以上）の支線ケーブルを引き出す場合、分岐接続部ではなく、多回路開閉器を別途設置する必要があった。
【０００６】
本発明の目的は、任意の本数のケーブルを容易に接続することが可能なケーブル分岐接続構造、分岐接続部、連結部およびケーブル分岐接続方法を提供することである。
【課題を解決するための手段】
【０００７】
本発明の第１の態様によれば、
導体と、前記導体を覆うように設けられ、ケーブル端末が挿入可能で前記導体まで到達する複数の挿入孔が設けられる絶縁層と、前記複数の挿入孔のそれぞれの内部に設けられ前記導体に接続され前記ケーブル端末の端末導体が嵌合可能である複数の導体嵌合部と、を有する第１分岐接続部と、
前記第１分岐接続部と同一の構成を有する第２分岐接続部と、
両端が前記複数の導体嵌合部のそれぞれに嵌合可能な連結部導体と、前記連結部導体の外周を覆うように設けられ前記複数の挿入孔のそれぞれの内部に嵌合可能な連結部絶縁層と、を有する連結部と、
を有し、
前記第１分岐接続部および前記第２分岐接続部は、前記連結部の一端が前記第１分岐接続部の前記複数の挿入孔のいずれか１つに挿入され、前記連結部の他端が前記第２分岐接続部の前記複数の挿入孔のいずれか１つに挿入されることにより、互いに連結される
ケーブル分岐接続構造が提供される。
【０００８】
本発明の第２の態様によれば、
前記複数の挿入孔は、
第１挿入孔と、
前記第１挿入孔と反対の方向に設けられる第２挿入孔と、
前記第１挿入孔および前記第２挿入孔と異なる位置に設けられる第３挿入孔と、
を含み、
前記連結部の一端は、前記第１分岐接続部の前記第１挿入孔に挿入され、
前記連結部の他端は、前記第２分岐接続部の前記第２挿入孔に挿入される
第１の態様に記載のケーブル分岐接続構造が提供される。
【０００９】
本発明の第３の態様によれば、
前記第１分岐接続部および前記第２分岐接続部の少なくともいずれかの前記第３挿入孔には、前記第３挿入孔から屈曲した方向にケーブルを連結する屈曲端末が挿入される
第２の態様に記載のケーブル分岐接続構造が提供される。
【００１０】
本発明の第４の態様によれば、
前記第１分岐接続部および前記第２分岐接続部のそれぞれは、
前記導体を覆うように設けられる内部半導電層を有し、
前記第１分岐接続部および前記第２分岐接続部のそれぞれの前記内部半導電層は、
前記連結部が前記第１分岐接続部および前記第２分岐接続部のそれぞれに連結される際に、前記連結部導体が前記連結部絶縁層から露出する部分と重なり、前記連結部絶縁層まで達するように設けられる
第１〜第３の態様のいずれかに記載のケーブル分岐接続構造が提供される。
【００１１】
本発明の第５の態様によれば、
前記第１分岐接続部および前記第２分岐接続部のそれぞれは、
前記絶縁層を覆い、前記複数の挿入孔のそれぞれの開口端まで設けられる導電性の外部半導電層を有し、
前記連結部は、
前記連結部絶縁層の外周に設けられる導電性の連結部外部半導電層を有し、
前記連結部外部半導電層は、
前記第１分岐接続部および前記第２分岐接続部のそれぞれの前記開口端における前記外部半導電層に接する
第１〜第４の態様のいずれかに記載のケーブル分岐接続構造が提供される。
【００１２】
本発明の第６の態様によれば、
前記複数の挿入孔のそれぞれの開口径は互いに等しく、
前記複数の導体嵌合部のそれぞれの形状は互いに等しい
第１〜第５の態様のいずれかに記載のケーブル分岐接続構造が提供される。
【００１３】
本発明の第７の態様によれば、
第１〜第６の態様のいずれかに記載のケーブル分岐接続構造に用いられる
分岐接続部が提供される。
【００１４】
本発明の第８の態様によれば、
第１〜第６の態様のいずれかに記載のケーブル分岐接続構造に用いられる
連結部が提供される。
【００１５】
本発明の第９の態様によれば、
導体と、前記導体を覆うように設けられ、ケーブル端末が挿入可能で前記導体まで到達する複数の挿入孔が設けられる絶縁層と、前記複数の挿入孔のそれぞれの内部に設けられ前記導体に接続され前記ケーブル端末の端末導体が嵌合可能である複数の導体嵌合部と、を有する第１分岐接続部と、前記第１分岐接続部と同一の構成を有する第２分岐接続部と、両端が前記複数の導体嵌合部のそれぞれに嵌合可能な連結部導体と、前記連結部導体の外周を覆うように設けられ前記複数の挿入孔のそれぞれの内部に嵌合可能な連結部絶縁層と、を有する連結部と、を準備する工程と、
前記連結部を用い、前記連結部の一端を前記第１分岐接続部の前記複数の挿入孔のいずれか１つに挿入し、前記連結部の他端を前記第２分岐接続部の前記複数の挿入孔のいずれか１つに挿入することにより、前記第１分岐接続部および前記第２分岐接続部を互いに連結する工程と、
を有する
ケーブル分岐接続方法が提供される。
【発明の効果】
【００１６】
本発明によれば、任意の本数のケーブルを容易に接続することが可能なケーブル分岐接続構造、分岐接続部、連結部およびケーブル分岐接続方法が提供される。
【図面の簡単な説明】
【００１７】
【図１】（ａ）は、本発明の第１実施形態に係る分岐接続部を示す断面図であり、（ｂ）は、本発明の第１実施形態に係る連結部を示す断面図である。
【図２】本発明の第１実施形態に係るケーブル端末を示す断面図である。
【図３】（ａ）は、本発明の第１実施形態に係るケーブル分岐接続構造を示す断面図であり、（ｂ）は、本発明の第１実施形態に係るケーブル分岐接続構造の全体像を示す模式図である。
【図４】本発明の第２実施形態に係るケーブル分岐接続構造を示す斜視図である。
【図５】本発明の第２実施形態に係る屈曲端末を示す断面図である。
【発明を実施するための形態】
【００１８】
＜本発明の第１実施形態＞
（１）ケーブル分岐接続構造
図１〜図３を用い、本発明の第１実施形態に係るケーブル分岐接続構造について説明する。図１（ａ）は、本実施形態に係る分岐接続部を示す断面図であり、（ｂ）は、本実施形態に係る連結部を示す断面図である。図２は、本発明の第１実施形態に係るケーブル端末を示す断面図である。図３（ａ）は、本実施形態に係るケーブル分岐接続構造を示す断面図であり、（ｂ）は、本実施形態に係るケーブル分岐接続構造の全体像を示す模式図である。
【００１９】
本実施形態のケーブル分岐接続構造は、図３（ｂ）に示されているように、ケーブル１００を接続する複数の分岐接続部１０が連結部３０を介して互いに連結されることにより、任意の本数のケーブル１００を連結可能に構成される。以下、詳細を説明する。
【００２０】
（分岐接続部）
図１（ａ）に示されているように、分岐接続部１０は、中心に導体２１０を有する。導体２１０は、略Ｔ字型であり、導体２１０の端部には、後述するようにケーブル端末４００の端末導体または連結部３０の連結部導体３１０が接続される。導体２１０は、例えば銅からなる。
【００２１】
導体２１０の外側には、導電性の内部半導電層２２０が設けられる。内部半導電層２２０は、例えば、半導電性のＥＰゴム（エチレン・プロピレンゴム）、または半導電性のシリコーンゴムからなる。
【００２２】
内部半導電層２２０は、導体２１０のＴ字の断面に垂直な方向から見て、後述する導体嵌合部２６０と重なるように設けられる。また、内部半導電層２２０は、後述するように、連結部３０が分岐接続部１０に連結される際に、連結部３０の連結部導体３１０が連結部絶縁層３３０から露出する部分と重なり、連結部絶縁層３３０まで達するように設けられる。これにより、高電圧が印加される部分（分岐接続部１０の導体２１０、後述する導体嵌合部２６０および連結部３０の連結部導体３１０付近）において電界が集中することが抑制される。
【００２３】
内部半導電層２２０の外側には、絶縁層２３０が設けられる。絶縁層２３０は、絶縁性のゴムからなり、具体的には例えばＥＰゴム（エチレン・プロピレンゴム）またはシリコーンゴムからなる。絶縁層２３０は、例えば略Ｔ字型に成形されている。絶縁層２３０の端部は、例えば円錐台状となっており、絶縁層２３０の端部の直径は、先端に行くにつれて小さくなっている。
【００２４】
絶縁層２３０の外周を覆うように、導電性の外部半導電層２４０が設けられる。外部半導電層２４０は、内部半導電層２２０と同様の材料からなる。外部半導電層２４０が絶縁層２３０を覆うことにより、分岐接続部１０が静電的に遮蔽され、絶縁層２３０にかかっている電界が外部に漏れることが抑制される。なお、外部半導電層２４０は、後述する複数の挿入孔（２５１，２５２，２５３）のそれぞれの開口端まで設けられる。
【００２５】
絶縁層２３０には、内部半導電層２２０を介して導体２１０まで到達する複数の挿入孔２５０が設けられる。挿入孔２５０は、例えば３つ設けられる。具体的には、Ｔ字型の分岐接続部１０の横画部に沿って第１挿入孔２５１が設けられ、第１挿入孔２５１と反対側に第２挿入孔２５２が設けられる。また、第１挿入孔２５１および第２挿入孔２５２と異なる位置には、例えば（Ｔ字型の分岐接続部１０の縦画部に沿って）第１挿入孔２５１および第２挿入孔２５２の延在方向と垂直な方向に第３挿入孔２５３が設けられる。第１挿入孔２５１、第２挿入孔２５２および第３挿入孔２５３のそれぞれの延在方向に垂直な方向の断面は円形である。第１挿入孔２５１、第２挿入孔２５２および第３挿入孔２５３のそれぞれには、後述するケーブル端末４００または連結部３０の連結部絶縁層３３０が嵌合可能である。
【００２６】
第１挿入孔２５１、第２挿入孔２５２および第３挿入孔２５３のそれぞれの内部には、導体２１０に接続される複数の導体嵌合部２６０が設けられる。導体嵌合部２６０は、いわゆるチューリップコンタクト（リング状接触端子）である。具体的には、導体嵌合部２６０は、筒状（樽状）に束ねられる導電性の複数の接触部（接触片）２６２を有する。複数の接触部２６２の一端には、分岐接続部１０の導体２１０が嵌合して接続され、複数の接触部２６２の他端には、後述するケーブル端末４００の端末導体４１０または連結部３０の連結部導体３１０が嵌合可能である。複数の接触部２６２の一端側および他端側には、複数の接触部２６２の外周を囲むように押さえ部２６４が設けられ、押さえ部２６４は、複数の接触部２６２を外側から弾性的に押さえるよう構成される。これにより、導体嵌合部２６０に挿入される導体２１０、ケーブル端末４００の端末導体４１０または連結部３０の連結部導体３１０は、押さえ部２６４の弾性力によって複数の接触部２６２に固定される。
【００２７】
複数の挿入孔２５０のそれぞれの開口径は互いに等しく、複数の導体嵌合部２６０のそれぞれの形状は互いに等しい。これにより、後述する共通のケーブル端末４００または連結部３０を、どの挿入孔２５０に対しても同様に嵌合させて接続することが可能となる。
【００２８】
（連結部）
図１（ｂ）に示されているように、連結部３０は、中心に円柱状の連結部導体３１０を有する。連結部導体３１０の両端は、複数の導体嵌合部２６０のそれぞれに嵌合可能である。連結部導体３１０は、例えば銅からなる。
【００２９】
連結部導体３１０の外周を覆うように、連結部絶縁層３３０が設けられる。上記した連結部導体３１０の両端は、連結部絶縁層３３０から露出される。連結部絶縁層３３０は、分岐接続部１０の絶縁層２３０と同様に、絶縁性のゴムからなり、具体的には例えばＥＰゴム（エチレン・プロピレンゴム）またはシリコーンゴムからなる。なお、連結部絶縁層３３０は、エポキシ樹脂からなっていてもよい。
【００３０】
また、連結部絶縁層３３０は、第１挿入孔２５１、第２挿入孔２５２および第３挿入孔２５３のそれぞれの内部に嵌合可能である。連結部絶縁層３３０が分岐接続部１０の外側に嵌合するのではなく第１挿入孔２５１、第２挿入孔２５２および第３挿入孔２５３のそれぞれの内部に嵌合することにより、ケーブル分岐接続構造を小さくすることができる。
【００３１】
連結部絶縁層３３０の外周には、導電性の連結部外部半導電層３４０が設けられる。連結部外部半導電層３４０は、例えば、半導電性のＥＰゴム（エチレン・プロピレンゴム）、半導電性のシリコーンゴム、または半導電性の塗料からなる。
【００３２】
連結部外部半導電層３４０は、連結部３０の軸方向に垂直な方向から見て、連結部絶縁層３３０の中心の位置の外周を覆うように設けられる。連結部外部半導電層３４０は、後述するように２つの分岐接続部１０が連結部３０を介して互いに連結される際に、２つの分岐接続部１０のそれぞれの開口端における外部半導電層２４０に接するように構成される。
【００３３】
（ケーブルおよびケーブル端末）
図２に示されているように、分岐接続部１０に接続されるケーブル１００は、架橋ポリエチレン絶縁ビニルシースケーブル（Crosslinked polyethylene insulated PVC sheathed cable：ＣＶケーブル）として構成され、具体的には、中心から外側に向けて、ケーブル導体１１０、内部半導電層（不図示）、ケーブル絶縁層１２０、ケーブル外部半導電層１３０、ケーブル遮蔽層１４０、ケーブルシース（被覆層）１５０を有する。ケーブル１００のケーブル導体１１０、ケーブル絶縁層１２０、ケーブル外部半導電層１３０、ケーブル遮蔽層１４０、およびケーブルシース１５０は、ケーブル１００の先端側から段階的に剥離される（段剥ぎされる）。また、ケーブル１００のケーブル外部半導電層１３０およびケーブル遮蔽層１４０は、接地される。
【００３４】
ケーブル１００の端部には、分岐接続部１０の挿入孔２５０に嵌合するためにケーブル端末４００が設けられる。ケーブル端末４００は、中心側から外側に向けて、端末導体（圧縮端子）４１０、端末絶縁層４２０、端末外部半導電層４３０を有する。
【００３５】
ケーブル端末４００の端末導体４１０には、ケーブル１００のケーブル導体１１０の先端が圧縮接続される。ケーブル端末４００の端末導体４１０の先端は、複数の導体嵌合部２６０のそれぞれに嵌合可能である。
【００３６】
ケーブル端末４００の端末絶縁層４２０の端末導体４１０と反対側の外側には、端末外部半導電層４３０が設けられる。端末外部半導電層４３０は、例えば、半導電性のＥＰゴム等からなる。ケーブル端末４００の端末外部半導電層４３０の内周面は、ケーブル１００のケーブル外部半導電層１３０の外周面に接している。ケーブル端末４００の端末外部半導電層４３０は、端末導体４１０と反対側から端末導体４１０に向けて径が広がった円錐状に形成されており、いわゆるストレスコーンを形成している。これにより、径が広がるように形成されたケーブル端末４００の端末外部半導電層４３０によって、ケーブル１００のケーブル外部半導電層１３０付近の電界集中が緩和される。
【００３７】
ケーブル端末４００の端末外部半導電層４３０およびケーブル１００のケーブル遮蔽層１４０の外周には、半導電性テープ４４０が巻き付けられる。これにより、ケーブル端末４００の端末外部半導電層４３０は、ケーブル１００のケーブル外部半導電層１３０およびケーブル遮蔽層１４０とともに接地される。また、半導電性テープ４４０の外周には、絶縁テープ４５０が巻き付けられる。
【００３８】
（ケーブル分岐接続構造）
本実施形態では、ケーブル１００を接続する複数の分岐接続部１０が連結部３０を介して互いに連結される。以下では、一例として、３つの分岐接続部１０（第１分岐接続部１０ａ，第２分岐接続部１０ｂ，第３分岐接続部１０ｃ）が互いに連結される場合について説明する。なお、後述する第２分岐接続部１０ｂおよび第３分岐接続部１０ｃは、第１分岐接続部１０ａと同一の構成を有し、後述する第２連結部３０ｂは、第１連結部３０ａと同一の構成を有する。
【００３９】
図３（ａ）に示されているように、第１分岐接続部１０ａの第１挿入孔２５１には、第１連結部３０ａの一端が挿入される。第１挿入孔２５１の内部には、第１連結部３０ａの連結部絶縁層３３０が嵌合し、第１挿入孔２５１内の導体嵌合部２６０には、第１連結部３０ａの連結部導体３１０が嵌合する。これにより、第１分岐接続部１０ａの導体２１０と、第１連結部３０ａの連結部導体３１０と、が電気的に接続される。
【００４０】
一方、第２分岐接続部１０ｂの第２挿入孔２５２には、第１連結部３０ａの第１分岐接続部１０ａと反対側の他端が挿入される。第１分岐接続部１０ａと同様にして、第２挿入孔２５２の内部には、第１連結部３０ａの連結部絶縁層３３０が嵌合し、第２挿入孔２５２内の導体嵌合部２６０には、第１連結部３０ａの連結部導体３１０が嵌合する。これにより、第２分岐接続部１０ｂの導体２１０と、第１連結部３０ａの連結部導体３１０と、が電気的に接続される。
【００４１】
このようにして、第１分岐接続部１０ａおよび第２分岐接続部１０ｂは第１連結部３０ａを介して互いに連結される。これにより、第１分岐接続部１０ａの導体２１０および第２分岐接続部１０ｂの導体２１０は、第１連結部３０ａの連結部導体３１０を介して電気的に接続される。
【００４２】
このとき、第１分岐接続部１０ａの導体２１０と、第１分岐接続部１０ａの導体嵌合部２６０と、第１分岐接続部１０ａ側で連結部導体３１０が連結部絶縁層３３０から露出する部分とは、第１分岐接続部１０ａの内部半導電層２２０によって覆われる。これにより、高電圧が印加される部分（第１分岐接続部１０ａの導体２１０、第１分岐接続部１０ａの導体嵌合部２６０、および第１分岐接続部１０ａ側で連結部導体３１０が連結部絶縁層３３０から露出する部分）への電界集中が緩和される。また、第１分岐接続部１０ａと同様にして、第２分岐接続部１０ｂの導体２１０と、第２分岐接続部１０ｂの導体嵌合部２６０と、第２分岐接続部１０ｂ側で連結部導体３１０が連結部絶縁層３３０から露出する部分とは、第２分岐接続部１０ｂの内部半導電層２２０によって覆われる。
【００４３】
また、このとき、第１連結部３０ａの連結部外部半導電層３４０は、第１分岐接続部１０ａの第１挿入孔２５１の開口端における外部半導電層２４０、および第２分岐接続部１０ｂの第２挿入孔２５２の開口端における外部半導電層２４０に接する。これにより、第１分岐接続部１０ａの外部半導電層２４０、第２分岐接続部１０ｂの外部半導電層２４０、および連結部３０の連結部外部半導電層３４０は、互いに電気的に接続される。例えば、第１分岐接続部１０ａの外部半導電層２４０、第２分岐接続部１０ｂの外部半導電層２４０、および連結部３０の連結部外部半導電層３４０は、後述するように第１分岐接続部１０ａおよび第２分岐接続部１０ｂのそれぞれの外部半導電層２４０に接続されたケーブル端末４００の端末外部半導電層４３０を介して、ケーブル１００のケーブル外部半導電層１３０およびケーブル遮蔽層１４０とともに接地される。
【００４４】
図３（ｂ）に示されているように、本実施形態では、さらに第２分岐接続部１０ｂに第３分岐接続部１０ｃが連結される。具体的には、第２分岐接続部１０ｂの第１挿入孔２５１には、第２連結部３０ｂの一端が挿入され、第３分岐接続部１０ｃの第２挿入孔２５２には、第２連結部３０ｂの他端が挿入される。これにより、第２分岐接続部１０ｂおよび第３分岐接続部１０ｃは第２連結部３０ｂを介して互いに連結される。
【００４５】
また、図３（ｂ）に示されているように、第１分岐接続部１０ａ、第２分岐接続部１０ｂおよび第３分岐接続部１０ｃにおける連結部３０が挿入されていない他の挿入孔２５０には、以下のようにして、ケーブル１００のケーブル端末４００が挿入される。
【００４６】
第１分岐接続部１０ａの第２挿入孔２５２には、一方の幹線ケーブル１００ａのケーブル端末４００ａが挿入される。第１分岐接続部１０ａの第２挿入孔２５２内の導体嵌合部２６０には、一方の幹線ケーブル１００ａのケーブル端末４００ａの端末導体４１０が嵌合する。これにより、第１分岐接続部１０ａの導体２１０と、幹線ケーブル１００ａのケーブル端末４００ａの端末導体４１０と、が電気的に接続される。また、このとき、一方の幹線ケーブル１００ａのケーブル端末４００ａの端末外部半導電層４３０は、第１分岐接続部１０ａの第２挿入孔２５２の開口端における外部半導電層２４０に接する。これにより、第１分岐接続部１０ａの外部半導電層２４０は、ケーブル端末４００ａの端末外部半導電層４３０を介して、幹線ケーブル１００ａのケーブル外部半導電層１３０およびケーブル遮蔽層１４０とともに接地される。
【００４７】
一方、第３分岐接続部１０ｃの第１挿入孔２５１には、第１分岐接続部１０ａの第２挿入孔２５２に挿入される一方の幹線ケーブル１００ａのケーブル端末４００ａと同様にして、他方の幹線ケーブル１００ａのケーブル端末４００ａが挿入される。
【００４８】
また、第１分岐接続部１０ａの第３挿入孔２５３、第２分岐接続部１０ｂの第３挿入孔２５３、および第３分岐接続部１０ｃの第３挿入孔２５３には、第１分岐接続部１０ａの第２挿入孔２５２に挿入される幹線ケーブル１００ａのケーブル端末４００ａと同様にして、それぞれ支線ケーブル１００ｂのケーブル端末４００ｂが挿入される。
【００４９】
これにより、幹線ケーブル１００ａは、第１分岐接続部１０ａ、第２分岐接続部１０ｂおよび第３分岐接続部１０ｃのそれぞれの第１挿入孔２５１および第２挿入孔２５２に沿って直線的に接続され延線される。３つの支線ケーブル１００ｂは、それぞれ、幹線ケーブル１００ａの延線方向と垂直な方向に沿って、第１分岐接続部１０ａ、第２分岐接続部１０ｂおよび第３分岐接続部１０ｃに接続される。例えば、幹線ケーブル１００ａおよび３つの支線ケーブル１００ｂは、同一面を形成するように配置される。
【００５０】
以上のように、第１分岐接続部１０ａ、第２分岐接続部１０ｂおよび第３分岐接続部１０ｃが第１連結部３０ａおよび第２連結部３０ｂを介して連結されることにより、幹線ケーブル１００ａに対して、３つの支線ケーブル１００ｂが接続可能となる。
【００５１】
（具体的寸法等）
例えば、分岐接続部１０の挿入孔２５０の開口径（直径）は、１０ｍｍ以上１５０ｍｍ以下であり、導体嵌合部２６０の開口径（直径）は、１０ｍｍ以上１００ｍｍ以下である。
【００５２】
また、例えば、連結部３０の直径は、１０ｍｍ以上１５０ｍｍ以下であり、連結部３０の連結部導体３１０の直径は、１０ｍｍ以上１００ｍｍ以下である。また、連結部３０の軸方向の長さは、８０ｍｍ以上３００ｍｍ以下である。
【００５３】
また、例えば、分岐接続部１０に接続されるケーブル１００の公称電圧は、例えば３．３ｋＶ以上３３ｋＶ以下である。ケーブル１００の直径は１０ｍｍ以上１００ｍｍ以下であり、ケーブル端末４００の直径は１０ｍｍ以上１５０ｍｍ以下であり、ケーブル端末４００の端末導体４１０の直径は３ｍｍ以上６０ｍｍ以下である。
【００５４】
（２）ケーブル分岐接続方法
次に、本実施形態に係るケーブル分岐接続方法について説明する。上記と同様にして、一例として、３つの分岐接続部１０（第１分岐接続部１０ａ，第２分岐接続部１０ｂ，第３分岐接続部１０ｃ）を連結する場合について説明する。
【００５５】
（準備工程）
まず、図１（ａ）に示されているように、導体２１０を金型内に固定して樹脂成形することにより、導体２１０と、導体２１０を覆う内部半導電層２２０と、内部半導電層２２０を覆い複数の挿入孔２５０が設けられる絶縁層２３０と、絶縁層２３０を覆う外部半導電層２４０と、を有する第１分岐接続部１０ａを準備する。なお、複数の挿入孔２５０のそれぞれの内部の導体２１０には、導体嵌合部２６０を嵌合させておく。また、第１分岐接続部１０ａと同一の構成を有する第２分岐接続部１０ｂおよび第３分岐接続部１０ｃを準備する。
【００５６】
また、図１（ｂ）に示されているように、連結部導体３１０を金型内に固定して樹脂成形することにより、連結部導体３１０と、連結部導体３１０の外周を覆う連結部絶縁層３３０と、連結部絶縁層３３０の外周に設けられる連結部外部半導電層３４０と、を有する第１連結部３０ａを準備する。また、第１連結部３０ａと同一の構成を有する第２連結部３０ｂを準備する。
【００５７】
（連結工程）
次に、図３（ａ）に示されているように、第１連結部３０ａを用い、第１連結部３０ａの一端を第１分岐接続部１０ａの第１挿入孔２５１に挿入し、第１連結部３０ａの他端を第２分岐接続部１０ｂの第２挿入孔２５２に挿入する。このとき、第１挿入孔２５１内の導体嵌合部２６０に、第１連結部３０ａの連結部導体３１０の一端を嵌合させ、第２挿入孔２５２内の導体嵌合部２６０に、第１連結部３０ａの連結部導体３１０の他端を嵌合させる。このようにして、第１分岐接続部１０ａおよび第２分岐接続部１０ｂを互いに連結する。
【００５８】
また、図３（ｂ）に示されているように、第２連結部３０ｂを用い、第２連結部３０ｂの一端を第２分岐接続部１０ｂの第１挿入孔２５１に挿入し、第２連結部３０ｂの他端を第３分岐接続部１０ｃの第２挿入孔２５２に挿入する。これにより、第２分岐接続部１０ｂおよび第３分岐接続部１０ｃを互いに連結する。
【００５９】
（ケーブル端末接続工程）
次に、第１分岐接続部１０ａの第２挿入孔２５２に、一方の幹線ケーブル１００ａのケーブル端末４００ａを挿入し、第３分岐接続部１０ｃの第１挿入孔２５１に、他方の幹線ケーブル１００ａのケーブル端末４００ａを挿入する。また、第１分岐接続部１０ａの第３挿入孔２５３、第２分岐接続部１０ｂの第３挿入孔２５３、および第３分岐接続部１０ｃの第３挿入孔２５３に、それぞれ支線ケーブル１００ｂのケーブル端末４００ｂを挿入する。
【００６０】
以上のようにして、第１分岐接続部１０ａ、第２分岐接続部１０ｂおよび第３分岐接続部１０ｃが第１連結部３０ａおよび第２連結部３０ｂを介して連結され、幹線ケーブル１００ａに対して、３つの支線ケーブル１００ｂが接続される。
【００６１】
（３）本実施形態に係る効果
本実施形態やその変形例によれば、以下に示す１つ又は複数の効果を奏する。
【００６２】
（ａ）本実施形態によれば、連結部３０は、両端が分岐接続部１０の複数の導体嵌合部２６０のそれぞれに嵌合可能な連結部導体３１０と、連結部導体３１０の外周を覆うように設けられ分岐接続部１０の複数の挿入孔２５０のそれぞれの内部に嵌合可能な連結部絶縁層３３０と、を有する。第１分岐接続部１０ａおよび第２分岐接続部１０ｂは、連結部３０の一端が第１分岐接続部１０ａの複数の挿入孔２５０のいずれか１つに挿入され、連結部３０の他端が第２分岐接続部１０ｂの複数の挿入孔２５０のいずれか１つに挿入されることにより、互いに連結される。これにより、任意の本数のケーブル１００を容易に接続することが可能となる。
【００６３】
ここで、幹線ケーブルから支線ケーブルを引き出すため、いわゆるＹ分岐接続部やＸ分岐接続部などが用いられることがある。Ｙ分岐接続部の場合、連結可能な支線ケーブルの本数は１本であり、Ｘ分岐接続部の場合、連結可能な支線ケーブルの本数は２本である。
【００６４】
また、複数のケーブルを接続するため、例えば以下のような接続装置または分岐接続部が開示されている。特許文献１には、ケーブル端末を固定する３つの接合部体を連結する連結部体を有する接続装置が記載されている。また、特許文献２には、幹線ケーブルを長手方向に着脱可能に接続するとともに、分岐ケーブルを着脱可能に接続するＴ分岐接続ユニットを有する分岐接続部が記載されている。
【００６５】
しかしながら、上記した分岐接続部または接続装置では、接続可能なケーブルの本数が限定されていた。また、幹線ケーブルから任意の本数（例えば３本以上）の支線ケーブルを引き出す場合、分岐接続部ではなく、多回路開閉器を別途設置する必要があった。
【００６６】
これに対して、本実施形態によれば、２つの分岐接続部１０（第１分岐接続部１０ａおよび第２分岐接続部１０ｂ）は、上述のように連結部３０を介して互いに連結される。２つの分岐接続部１０のそれぞれにおける連結部３０が挿入されていない他の挿入孔２５０には、ケーブル１００のケーブル端末４００が挿入される。これにより、複数のケーブル１００を、２つの分岐接続部１０および連結部３０を介して接続することができる。また、このような連結部３０を介した分岐接続部１０の連結構造を複数連鎖させることにより、任意の本数のケーブル１００を容易に接続することが可能となる。
【００６７】
（ｂ）本実施形態によれば、連結部絶縁層３３０は、複数の挿入孔２５０のそれぞれの内部に嵌合可能である。連結部絶縁層３３０が分岐接続部１０の外側に嵌合するのではなく複数の挿入孔２５０のそれぞれの内部に嵌合することにより、ケーブル分岐接続構造を小さくすることができる。
【００６８】
（ｃ）本実施形態によれば、分岐接続部１０の絶縁層２３０は、第１挿入孔２５１と、第１挿入孔２５１と反対の方向に設けられる第２挿入孔２５２と、第１挿入孔２５１および第２挿入孔２５２と異なる位置に設けられる第３挿入孔２５３と、を有する。例えば、連結部３０の一端は、第１分岐接続部１０ａの第１挿入孔２５１に挿入され、連結部３０の他端は、第２分岐接続部１０ｂの第２挿入孔２５２に挿入される。これにより、第１分岐接続部１０ａおよび第２分岐接続部１０ｂを、それぞれの第１挿入孔２５１および第２挿入孔２５２が一直線上に配置されるように、互いに連結することができる。
【００６９】
また、例えば、第１分岐接続部１０ａの第２挿入孔２５２に、一方の幹線ケーブル１００ａのケーブル端末４００ａを挿入し、第２分岐接続部１０ｂ（上記例では第３分岐接続部１０ｃ）の第１挿入孔２５１に、他方の幹線ケーブル１００ａのケーブル端末４００ａを挿入する。また、第１分岐接続部１０ａの第３挿入孔２５３、および第２分岐接続部１０ｂの第３挿入孔２５３に、それぞれ支線ケーブル１００ｂのケーブル端末４００ｂを挿入する。これにより、幹線ケーブル１００ａを、第１分岐接続部１０ａおよび第２分岐接続部１０ｂのそれぞれの第１挿入孔２５１および第２挿入孔２５２に沿って直線的に接続して延線することができ、支線ケーブル１００ｂを第１分岐接続部１０ａおよび第２分岐接続部１０ｂのそれぞれの第１挿入孔２５１および第２挿入孔２５２と異なる方向に延線することができる。
【００７０】
（ｄ）本実施形態によれば、内部半導電層２２０は、導体２１０のＴ字の断面に垂直な方向から見て、導体嵌合部２６０と重なるように設けられる。また、内部半導電層２２０は、連結部３０が分岐接続部１０に連結される際に、連結部３０の連結部導体３１０が連結部絶縁層３３０から露出する部分と重なり、連結部絶縁層３３０まで達するように設けられる。これにより、高電圧が印加される部分（分岐接続部１０の導体２１０、導体嵌合部２６０および連結部３０の連結部導体３１０付近）において電界が集中することが抑制される。
【００７１】
（ｅ）本実施形態によれば、第１分岐接続部１０ａおよび第２分岐接続部１０ｂのそれぞれの外部半導電層２４０は、複数の挿入孔２５０のそれぞれの開口端まで設けられる。連結部３０の連結部外部半導電層３４０は、第１分岐接続部１０ａおよび第２分岐接続部１０ｂが連結部３０を介して互いに連結される際に、第１分岐接続部１０ａおよび第２分岐接続部１０ｂのそれぞれの開口端における外部半導電層２４０に接する。これにより、第１分岐接続部１０ａの外部半導電層２４０、第２分岐接続部１０ｂの外部半導電層２４０、および連結部３０の連結部外部半導電層３４０を、互いに電気的に接続することができる。例えば、第１分岐接続部１０ａの外部半導電層２４０、第２分岐接続部１０ｂの外部半導電層２４０、および連結部３０の連結部外部半導電層３４０を、第１分岐接続部１０ａおよび第２分岐接続部１０ｂのそれぞれの外部半導電層２４０に接続されたケーブル端末４００の端末外部半導電層４３０を介して、ケーブル１００のケーブル外部半導電層１３０およびケーブル遮蔽層１４０とともに接地することができる。
【００７２】
＜本発明の第２実施形態＞
図４を用い、本発明の第２実施形態について説明する。図４は、本実施形態に係るケーブル分岐接続構造を示す斜視図である。図５は、本実施形態に係る屈曲端末を示す断面図である。
【００７３】
本実施形態は、支線ケーブル１００ｂの接続態様が第１実施形態と異なる。以下、第１実施形態と異なる要素についてのみ説明し、第１実施形態で説明した要素と実質的に同一の要素には、同一の符号を付してその説明を省略する。
【００７４】
（１）ケーブル分岐接続構造
（屈曲端末）
図４に示されているように、本実施形態では、支線ケーブル１００ｂのケーブル端末の位置に、Ｌ字状に屈曲した屈曲端末５００が設けられる。屈曲端末５００は、例えば直角に屈曲する。
【００７５】
図５に示されているように、屈曲端末５００は、中心側から外側に向けて、Ｌ字状の端末導体（圧縮端子）５１０、端末内部半導電層５１２、端末絶縁層５２０、端末外部半導電層５３０を有する。
【００７６】
屈曲端末５００のＬ字状の端末導体５１０には、ケーブル１００のケーブル導体１１０の先端が圧縮接続される。屈曲端末５００の端末導体５１０の先端は、複数の導体嵌合部２６０のそれぞれに嵌合可能である。
【００７７】
屈曲端末５００の端末導体５１０およびケーブル１００のケーブル導体１１０の外側には、端末内部半導電層５１２が設けられる。なお、端末導体５１０の先端は、端末内部半導電層５１２から露出している。
【００７８】
屈曲端末５００の端末内部半導電層５１２の外側には、端末絶縁層５２０が設けられる。端末絶縁層５２０は、端末内部半導電層５１２およびケーブル１００を覆うようにＬ字状に設けられる。端末内部半導電層５１２は、例えば、半導電性のＥＰゴム等からなる。
【００７９】
屈曲端末５００の端末絶縁層５２０の外側には、端末外部半導電層５３０が設けられる。端末外部半導電層５３０は、例えば、半導電性のＥＰゴム等からなる。端末外部半導電層５３０の内周面は、ケーブル１００のケーブル外部半導電層１３０の外周面に接している。屈曲端末５００の端末外部半導電層５３０は、端末絶縁層５２０のケーブル１００が挿入される側から端末導体５１０側に向けて、径が広がった円錐状に形成されており、いわゆるストレスコーンを形成している。
【００８０】
また、端末外部半導電層５３０は、端末絶縁層５２０のケーブル１００が挿入される側から端末絶縁層５２０の端末導体５１０の先端側まで延在して設けられている。これにより、屈曲端末５００が分岐接続部１０に連結される際に、屈曲端末５００の端末外部半導電層５３０は、分岐接続部１０の挿入孔２５０の開口端における外部半導電層２４０に接する。
【００８１】
屈曲端末５００の端末外部半導電層５３０およびケーブル１００のケーブル遮蔽層１４０の外周には、半導電性テープ５４０が巻き付けられる。また、半導電性テープ５４０の外周には、絶縁テープ５５０が巻き付けられる。
【００８２】
（ケーブル分岐接続構造）
図４に示されているように、例えば、第１分岐接続部１０ａの第１挿入孔２５１には、第１連結部３０ａの一端が挿入され、第２分岐接続部１０ｂが、第１連結部３０ａを介して第１分岐接続部１０ａに連結される。第１分岐接続部１０ａの第２挿入孔２５２には、幹線ケーブル１００ａのケーブル端末４００ａが挿入される。
【００８３】
第１分岐接続部１０ａの第３挿入孔２５３には、屈曲端末５００の一端が挿入される。このとき、上述のように、屈曲端末５００の端末外部半導電層５３０は、第１分岐接続部１０ａの第３挿入孔２５３の開口端における外部半導電層２４０に接する。これにより、第１分岐接続部１０ａの外部半導電層２４０は、屈曲端末５００の端末外部半導電層５３０を介して、支線ケーブル１００ｂのケーブル外部半導電層１３０およびケーブル遮蔽層１４０に接続される。
【００８４】
ここで、図４に示されているように、例えば、複数の幹線ケーブル１００ａが併設される。このとき、第１分岐接続部１０ａの第３挿入孔２５３は、複数の幹線ケーブル１００ａの併設方向に垂直な方向に向けられる。第１分岐接続部１０ａの第３挿入孔２５３には、Ｌ字に屈曲した屈曲端末５００の一端が挿入され、屈曲端末５００は、第３挿入孔２５３から屈曲した方向に支線ケーブル１００ｂを連結する。支線ケーブル１００ｂは、幹線ケーブル１００ａから第１分岐接続部１０ａの第３挿入孔２５３の方向に、屈曲端末５００の支線ケーブル１００ｂの延線方向に垂直な方向の長さだけ、ずらした位置に配置される。これにより、屈曲端末５００に接続された支線ケーブル１００ｂを、併設された幹線ケーブル１００ａに干渉することなく、延線することができる。
【００８５】
（２）本実施形態に係る効果
本実施形態によれば、支線ケーブル１００ｂは、屈曲端末５００によって、第３挿入孔２５３から屈曲した方向に延線される。これにより、例えば、複数の幹線ケーブル１００ａが併設されるとき、屈曲端末５００に接続された支線ケーブル１００ｂを、併設された幹線ケーブル１００ａに干渉することなく、延線することができる。
【００８６】
＜本発明の他の実施形態＞
以上、本発明の実施形態および変形例について具体的に説明したが、本発明は上述の実施形態および変形例に限定されるものではなく、その要旨を逸脱しない範囲で種々変更可能である。
【００８７】
上述の実施形態では、分岐接続部１０が３つの挿入孔を有するＴ字型である場合について説明したが、分岐接続部は２つ、または４つ以上の挿入孔を有していても良い。
【００８８】
また、上述の実施形態では、導体嵌合部２６０がチューリップコンタクトである場合について説明したが、導体嵌合部はルーバー方式などの差し込み式であってもよい。
【００８９】
また、上述の実施形態では、分岐接続部１０の絶縁層２３０が絶縁性のゴムからなる場合について説明したが、分岐接続部の絶縁層はエポキシ樹脂から形成されていてもよい。
【００９０】
また、上述の実施形態では、連結部３０が内部半導電層を有していない場合について説明したが、必要に応じて、連結部は、連結部導体の外周を覆うように内部半導電層を有していても良い。
【００９１】
また、上述の第１実施形態では、ケーブル端末４００が内部半導電層を有していない場合について説明したが、必要に応じて、ケーブル端末は、ケーブルの外周を覆うように内部半導電層を有していても良い。
【００９２】
また、上述の第２実施形態では、第１分岐接続部１０ａの第３挿入孔２５３に屈曲端末５００の一端が挿入され、屈曲端末５００は、第３挿入孔２５３から屈曲した方向に支線ケーブル１００ｂを連結する場合について説明したが、第２実施形態において、第１分岐接続部の第３挿入孔にＩ字状のケーブル端末の一端が挿入され、Ｉ字状のケーブル端末は、第３挿入孔に沿った方向に支線ケーブルを連結しても良く、すなわち幹線ケーブルに対して垂直な方向に支線ケーブルが引き出されても良い。
【００９３】
また、上述の実施形態では、準備工程、連結工程、ケーブル端末接続工程の順で行う場合について説明したが、準備工程、ケーブル端末接続工程、連結工程の順で行っても良い。
【符号の説明】
【００９４】
１０  分岐接続部
１０ａ  第１分岐接続部
１０ｂ  第２分岐接続部
１０ｃ  第３分岐接続部
３０  連結部
３０ａ  第１連結部
３０ｂ  第２連結部
１００  ケーブル
１００ａ  幹線ケーブル
１００ｂ  支線ケーブル
１１０  ケーブル導体
１２０  ケーブル絶縁層
１３０  ケーブル外部半導電層
１４０  ケーブル遮蔽層
１５０  ケーブルシース（被覆層）
２１０  導体
２２０  内部半導電層
２３０  絶縁層
２４０  外部半導電層
２５０  挿入孔
２５１  第１挿入孔
２５２  第２挿入孔
２５３  第３挿入孔
２６０  導体嵌合部
２６２  接触部
２６４  押さえ部
３１０  連結部導体
３３０  連結部絶縁層
３４０  連結部外部半導電層
４００，４００ａ，４００ｂ  ケーブル端末
４１０  端末導体（圧縮端子）
４２０  端末絶縁層
４３０  端末外部半導電層
４４０  半導電性テープ
４５０  絶縁テープ
５００  屈曲端末
５１０  端末導体（圧縮端子）
５１２  端末内部半導電層
５２０  端末絶縁層
５３０  端末外部半導電層
５４０  半導電性テープ
５５０  絶縁テープ
【図１】
2015192537.tif 000003
【図２】
2015192537.tif 000004
【図３】
2015192537.tif 000005
【図４】
2015192537.tif 000006
【図５】
2015192537.tif 000007